(57)【要約】  本開示は、カウンターにおいて、アクセスホールの下に設置されるように構成さている、流動性物質用容器に関する。この容器は、第一の変形可能部分と、第二の変形可能部分とを含む。第一の変形可能部分は、第一のキャビティを規定し、封止可能な第一のキャビティ入口を有する。第二の変形可能部分は、第二のキャビティを規定し、第一のキャビティと流体連通する。第一の変形可能部分内に流動性物質がほぼ存在しないときに、変形してアクセスホールへ嵌入するように、第一の変形可能部分が構成されており、第二の変形可能部分内に流動性物質がほぼ存在しないときに、変形してアクセスホールを通って嵌るように、第二の変形可能部分が構成されている。本開示は、カウンターにおいて、アクセスホールの下に、流動性物質の容器を設置する方法も含む。【選択図】図８
2016507438.tif 000002
【特許請求の範囲】
【請求項１】
カウンターにおいて、アクセスホールの下に設置されるように構成されている、流動性物質用容器であって、
第一のキャビティを規定する第一の変形可能部分であって、内部に流動性物質を有し、封止可能な第一のキャビティ入口を有し、前記第一のキャビティ入口が封止されている、第一の変形可能部分と、
前記第一のキャビティと流体連通する第二のキャビティを規定する第二の変形可能部分と、を備え、
前記第二の変形可能部分が、前記第二の変形可能部分内に流動性物質がほぼ存在しないときに、変形して前記アクセスホールを通って嵌るように構成されており、
前記第一の変形可能部分が、ほぼ全ての流動性物質が前記第二の変形可能部分内へ押しやられると、変形して前記アクセスホールへ嵌入するように構成されている、流動性物質用容器。
【請求項２】
前記第一のキャビティから前記第二のキャビティへの流れを解除可能に阻止する手段を更に含んでいる、請求項1に記載の容器。
【請求項３】
前記第一の変形可能部分と前記第二の変形可能部分との間にネック部分を更に含んでいる、請求項1に記載の容器。
【請求項４】
前記ネック部分に係合するように構成され、前記ネック部分に係合されると、前記第一のキャビティから前記第二のキャビティへの流れを阻止するように構成されている、取り外し可能なクリップであって、前記第一のキャビティから前記第二のキャビティへの流れを阻止する手段である、取り外し可能なクリップを更に含んでいる、請求項3に記載の容器。
【請求項５】
前記封止可能な第一のキャビティ入口がポンプで封止されている、請求項1から4のいずれか一項に記載の容器。
【請求項６】
前記ポンプが浸漬管を含んでいる、請求項5に記載の容器。
【請求項７】
前記封止可能な第一のキャビティ入口に固着されているシールを更に含んでいる、請求項1から4のいずれか一項に記載の容器。
【請求項８】
浸漬管を有するポンプを更に含み、前記ポンプが、前記封止可能な第一のキャビティ入口に連結可能であり、それにより、前記浸漬管が、前記第一の変形可能部分を通って前記第二の変形可能部分内に延出している、請求項7に記載の容器。
【請求項９】
前記シールは、前記ポンプの連結前に取り外し可能である、請求項8に記載の容器。
【請求項１０】
前記浸漬管は、前記シールを通って挿入可能である、請求項8又は9に記載の容器。
【請求項１１】
前記第一の変形可能部分が、前記第二の変形可能部分から着脱可能である、請求項1から4のいずれか一項に記載の容器。
【請求項１２】
前記第一の変形可能部分が第一のネック部分を含み、前記第二の変形可能部分が第二のネック部分を有し、前記第一のネック部分及び前記第二のネック部分が、共に係脱自在に連結可能である、請求項1に記載の容器。
【請求項１３】
前記第一のネック部分及び前記第二のネック部分が、圧入式のネック用継手、引き裂き式のネック用継手、ねじ式のネック用継手のうちの一つを用いて連結されている、請求項12に記載の容器。
【請求項１４】
前記ポンプが、ディスペンサにより係合されるように構成されている、請求項5、6、及び8から10のいずれか一項に記載の容器。
【請求項１５】
前記容器を輸送するための箱を更に含んでいる、請求項1から14のいずれか一項に記載の容器。
【請求項１６】
前記箱が取り外し可能部分を含んでいる、請求項15に記載の容器。
【請求項１７】
前記第二の変形可能部分が、巻かれて管状体になり、前記管状体が、前記第一のキャビティから前記第二のキャビティへの流れを阻止する手段として機能している、請求項1から16のいずれか一項に記載の容器。
【請求項１８】
前記管状体が、前記第一の変形可能部分に寄りかかるように折り畳まれている、請求項17に記載の容器。
【請求項１９】
前記第一の変形可能部分及び前記第二の変形可能部分が弾性変形可能である、請求項1から18のいずれか一項に記載の容器。
【請求項２０】
前記第一の変形可能部分及び前記第二の変形可能部分が、BOPP(二軸延伸ポリプロピレン)、BON(二軸延伸ナイロン)、CA(アセチルセルロース)、CTFE(クロロトリフルオロエチレン)、EAA(エチレンアクリル酸)、EEA(エチレンエチルアクリレート)、EMA(エチレンメチルアクリレート)、EVA(エチレン酢酸ビニル)、EVOH(エチレンビニルアルコール)、HIPS(耐衝撃性ポリスチレン)、LDPE(低密度ポリエチレン)、LLDPE(直鎖状低密度ポリエチレン)、mPE(メタロセンポリエチレン)、OPP(配向ポリプロピレン)、PA(ポリアミド)、PAN(ポリアクリロニトリル)、PB(ポリブチレン)、PE(ポリエチレン)、PET(ポリ(エチレンテレフタレート))、PETG(ポリ(エチレンテレフタレート)グリコール)、PLA(ポリ(乳酸))、PP(ポリプロピレン)、PS(ポリスチレン)、PTFE(ポリ四フッ化エチレン)、PUR(ポリウレタン)、PVC(ポリ(塩化ビニル))、及びPVDC(ポリ(塩化ビニリデン))のうちの一つから製造されている、請求項1から19のいずれか一項に記載の容器。
【請求項２１】
前記第一の変形可能部分及び前記第二の変形可能部分が、ラテックス、シリコーンゴム、ポリイソプレン、及びマイラのうちの一つから製造されている、請求項1から19のいずれか一項に記載の容器。
【請求項２２】
前記アクセスホールの下で前記カウンターに取り付けられるように構成されている、ケージを更に含んでいる、請求項1から21のいずれか一項に記載の容器。
【請求項２３】
前記カウンターに取り付けられるように構成されている前記ケージが、上方部分に取り外し可能に取り付けられた下方部分を含んでいる、請求項22に記載の容器。
【請求項２４】
カウンターにおいて、アクセスホールの下に、流動性物質の容器を設置する方法であって、前記容器が、内部に流動性物質を有し、第二の変形可能部分と流体連通している第一の変形可能部分を有しており、前記方法が、
内部に流動性物質をほぼ有していない前記第二の変形可能部分を前記アクセスホールを通って送り込むステップと、
前記第一の変形可能部分内の流動性物質を前記第二の変形可能部分へ押しやるステップと、
内部に流動性物質をほぼ有していない前記第一の変形可能部分を前記アクセスホール内に送り込むステップと、
前記アクセスホールにポンプを配置し、それにより、前記ポンプが前記容器と流体連通するステップと、を備える方法。
【請求項２５】
前記アクセスホールを通って前記第二の変形可能部分を送り込む前に、前記ポンプが前記第一の変形可能部分に取り付けられる、請求項24に記載の方法。
【請求項２６】
前記ポンプにディスペンサを取り付けるステップを更に含む、請求項24に記載の方法。
【請求項２７】
前記第一の変形可能部分が、第一のキャビティ入口と、前記第一のキャビティ入口に取り付けられたシールとを有し、前記方法が、前記ポンプを配置する前に、前記シールを取り外すステップを更に含む、請求項24に記載の方法。
【請求項２８】
前記第一の変形可能部分が、第一のキャビティ入口と、前記第一のキャビティ入口に取り付けられたシールとを有し、前記方法が、前記ポンプを配置する前に、前記ポンプにより前記シールを突き通すステップを更に含む、請求項24に記載の方法。
【請求項２９】
前記容器が箱を更に含み、前記箱が取り外し可能部分を含み、前記方法が、前記箱の前記取り外し可能部分を取り外すステップと、前記第一の変形可能部分を前記箱から取り外すステップと、前記箱を圧搾し、前記第一の変形可能部分内の流動性物質を前記第二の変形可能部分へ押しやるステップと、前記箱を取り外すステップとを更に含む、請求項24に記載の方法。
【発明の詳細な説明】
【技術分野】
【０００１】
本開示は、液体分注システムに係り、特に、カウンター装着型分注システム用容器に関する。
【背景技術】
【０００２】
昨今、カウンター装着型のソープディスペンサ及びフォームディスペンサが、一般家庭の洗面所環境以外で一般的なものになりつつある。事実、かかるシステムの設置を容易にするために、生産された洗面所用カウンターの多くは、洗面器の近くに穿設された直径1インチの穴が完備されている。これらのディスペンサは、手動式ポンプにより作動されるデバイスとしても、自動センサにより作動されるデバイスとしても入手可能であり、分注用のヘッドが、上方からカウンターに設置されており、製品用のカートリッジが、カウンターの下方に設置されている。衛生的に封止され、畳むことができるカートリッジ及び再充填可能な封止されていないリザーバの両用システムが入手可能である。例えば、壁面スペースが不足しているため、洗面所を美しく維持するため、個人的な好みのためなどの複数の理由から、カウンター装着型システムは、壁面装着型システムよりも好まれている。
【発明の概要】
【発明が解決しようとする課題】
【０００３】
本開示は、カウンターにおいて、アクセスホールの下に設置されるように構成されている、流動性物質用容器に関する。
【課題を解決するための手段】
【０００４】
本開示は、カウンターにおいて、アクセスホールの下に設置されるように構成されている、流動性物質用容器に関する。容器は、第一の変形可能部分と、第二の変形可能部分とを含む。第一の変形可能部分は、第一のキャビティを規定し、封止可能な第一のキャビティ入口を有し、この第一のキャビティ入口は封止されている。第一の変形可能部分は、内部に流動性物質を有する。第二の変形可能部分は、第二のキャビティを規定し、第一のキャビティと流体連通する。第一の変形可能部分内に流動性物質がほぼ存在しないときに、変形してアクセスホールへ嵌入するように、第一の変形可能部分が構成されており、第二の変形可能部分内に流動性物質がほぼ存在しないときに、変形してアクセスホールを通って嵌るように、第二の変形可能部分が構成されている。ほぼ全ての流動性物質が第二の変形可能部分内へ押しやられると、変形してアクセスホールへ嵌入するように、第一の変形可能部分が構成されている。
【０００５】
容器は、第一のキャビティから第二のキャビティへの流れを解除可能に阻止する手段を含むことができる。
【０００６】
容器は、第一の変形可能部分と第二の変形可能部分との間にネック部分を含むことができる。
【０００７】
容器は、ネック部分に係合するように構成され、ネック部分に係合されると、第一のキャビティから第二のキャビティへの流れを阻止するように構成されている、取り外し可能なクリップを含むことができる。
【０００８】
封止可能な第一のキャビティ入口はポンプで封止されてもよい。ポンプは浸漬管を含むことができる。ポンプは、ディスペンサにより係合されるように構成されていてもよい。
【０００９】
第一の変形可能部分は、内部に液体を有することができ、封止可能な第一のキャビティ入口に固着されているシールを更に含むことができる。
【００１０】
ポンプは、浸漬管を有することができ、このポンプは、封止可能な第一のキャビティ入口に連結可能であり、それにより、浸漬管が、第一の変形可能部分を通って第二の変形可能部分内に延出する。
【００１１】
シールは、ポンプの連結前に取り外し可能であってもよい。
【００１２】
浸漬管は、シールを通って挿入可能であってもよい。
【００１３】
第一の変形可能部分は、第二の変形可能部分から着脱可能であってもよい。
【００１４】
第一の変形可能部分は第一のネック部分を含むことができ、第二の変形可能部分は第二のネック部分を含むことができ、第一のネック部分及び第二のネック部分は、共に係脱自在に連結可能であってもよい。第一のネック部分及び第二のネック部分は、着脱可能なネック用継手を用いて連結されることができ、そのネック用継手は、有孔のネック用継手又は圧入式のネック用継手である。代替的に、第一のネック部分及び第二のネック部分は、螺合式のネック用継手を用いて連結されてもよい。
【００１５】
容器は、容器を輸送するための箱を更に含むことができる。箱は、取り外し可能部分を含むことができる。
【００１６】
第二の変形可能部分は、巻かれて管状体になることができる。その管状体は、第一の変形可能部分に寄りかかるように折り畳まれることができる。
【００１７】
第一の変形可能部分及び第二の変形可能部分は弾性変形可能である。
【００１８】
第一の変形可能部分及び第二の変形可能部分は、BOPP(二軸延伸ポリプロピレン)、BON(二軸延伸ナイロン)、CA(アセチルセルロース)、CTFE(クロロトリフルオロエチレン)、EAA(エチレンアクリル酸)、EEA(エチレンエチルアクリレート)、EMA(エチレンメチルアクリレート)、EVA(エチレン酢酸ビニル)、EVOH(エチレンビニルアルコール)、HIPS(耐衝撃性ポリスチレン)、LDPE(低密度ポリエチレン)、LLDPE(直鎖状低密度ポリエチレン)、mPE(メタロセンポリエチレン)、OPP(配向ポリプロピレン)、PA(ポリアミド)、PAN(ポリアクリロニトリル)、PB(ポリブチレン)、PE(ポリエチレン)、PET(ポリ(エチレンテレフタレート))、PETG(ポリ(エチレンテレフタレート)グリコール)、PLA(ポリ(乳酸))、PP(ポリプロピレン)、PS(ポリスチレン)、PTFE(ポリ四フッ化エチレン)、PUR(ポリウレタン)、PVC(ポリ(塩化ビニル))、及びPVDC(ポリ(塩化ビニリデン))のうちの一つ、又は、ラテックス、シリコーンゴム、ポリイソプレン、及びマイラのうちの一つから製造されることができる。
【００１９】
ケージは、アクセスホールの下でカウンターに取り付けられることができる。ケージは、上方部分に取り外し可能に取り付けられた下方部分を含むことができる。
【００２０】
本開示は、カウンターにおいて、アクセスホールの下に、流動性物質の容器を設置する方法を含み、この容器は、第二の変形可能部分と流体連通する第一の変形可能部分を有し、この方法は、
内部に流動性物質をほぼ有していない第二の変形可能部分をアクセスホールを通って送り込むステップと、
第一の変形可能部分内の流動性物質を第二の変形可能部分へ押しやるステップと、
内部に流動性物質をほぼ有していない第一の変形可能部分をアクセスホール内に送り込むステップと、
ポンプをアクセスホールにポンプを配置し、それにより、ポンプが容器と流体連通するステップと、を備える。
【００２１】
最初の送り込むステップの前に、ポンプは第一の変形可能部分に取り付けられることができる。
【００２２】
本方法は、ポンプにディスペンサを取り付けるステップを含むことができる。
【００２３】
第一の変形可能部分は、第一のキャビティ入口と、第一のキャビティ入口に取り付けられたシールとを有することができ、本方法は、シールを取り外し、それから、ポンプを配置するステップを行うステップを含むことができる。
【００２４】
第一の変形可能部分は、第一のキャビティ入口と、第一のキャビティ入口に取り付けられたシールとを有することができ、本方法は、ポンプによりシールを突き通し、それから、ポンプを配置するステップを行うステップを含むことができる。
【００２５】
容器は、箱を更に含むことができ、この箱は、取り外し可能部分を含み、本方法は、箱の取り外し可能部分を取り外すステップと、第一の変形可能部分を箱から取り外すステップと、箱を圧搾し、第一の変形可能部分内の流動性物質を第二の変形可能部分へ押しやるステップと、箱を取り外すステップとを含むことができる。
【００２６】
更なる特徴が、以下の詳細な説明により説明されて明白になるであろう。
【００２７】
添付図面を参照し、単に例示の目的で、実施形態を記載する。
【図面の簡単な説明】
【００２８】
【図１】カウンターの下部に位置する液体容器を有する、分注システムの斜視図である。
【図２】カウンターに形成された孔を通して装着される直前の容器の斜視図である。
【図３】容器の第二の変形可能部分は、カウンターに形成された孔を通り、容器の第一の変形可能部分は、カウンターの上にある、図2の容器の斜視図である。
【図４】容器の第二の変形可能部分は、カウンターに形成された孔を通り、容器の第一の変形可能部分は、カウンターの上にある、図2及び3の容器を示す、図3の断面図である。
【図５】図3に示す容器と同様の容器の斜視図であるが、液体の一部が、第一の変形可能部分から第二の変形可能部分内に移送されている状態を示す図である。
【図６】図5の容器の断面図である。
【図７】図5に示す容器と同様の容器の断面図であるが、より多くの液体が、第二の変形可能部分内に移送されている状態を示す図である。
【図８】図6及び7に示す容器と同様の容器の断面図であるが、液体が第二の変形可能部分内に移送され、カウンターに形成された孔にポンプが設置されている状態を示す図である。
【図９】カウンターに形成された孔に設置された、図2から8の容器の斜視図であり、ポンプを覆って配置される任意のディスペンサを更に示す図である。
【図１０】図2から9に示す容器と同様の容器の斜視図であるが、代替的なポンプを示し、容器の一部がカウンターに形成された孔を通っており、容器の一部がカウンターの上にある状態を示し、容器の第一及び第二の部分にそれぞれ形成された第一のキャビティから第二のキャビティ内へ、ユーザが液体を押しやっている状態を示す図である。
【図１１】図10に示す斜視図と同様の斜視図であるが、第一のキャビティ内の液体が減っている状態を示す図である。
【図１２】図11に示す斜視図と同様の斜視図であるが、第一のキャビティ内の液体が更に減っている状態を示す図である。
【図１３】図12に示す斜視図と同様の斜視図であるが、第一のキャビティがカウンターの孔に詰め込まれている状態を示す図である。
【図１４】カウンターに形成された孔に設置された、図10から13の容器及びポンプの斜視図であり、ポンプを覆って配置される任意のディスペンサの代替的な実施形態を更に示す図である。
【図１５】上記図面に例示されている液体容器用の輸送容器の斜視図である。
【図１６】図15に示す輸送容器の斜視図であり、取り外し可能部分が部分的に取り外されている状態を示す図である。
【図１７】図15及び16の輸送容器の斜視図であり、取り外し可能部分が取り外された状態を示す図である。
【図１８】図17に示す斜視図と同様の斜視図であるが、第二の変形可能部分が、巻かれて管状体になっており、輸送容器から下方に延出している状態を示す図である。
【図１９】図18に示す斜視図と同様の斜視図であるが、第二の変形可能部分が、カウンターの孔に挿入される間際にある状態を示す図である。
【図２０】図19に示す斜視図と同様の斜視図であるが、第二のキャビティが、カウンターの孔に挿入されている状態を示す図である。
【図２１】図20に示す斜視図と同様の斜視図であるが、輸送容器が部分的に畳まれている状態を示す図である。
【図２２】図21に示す斜視図と同様の斜視図であるが、カウンターは図示されておらず、第二の変形可能部分が、部分的に液体で満たされている状態を示す図である。
【図２３】図22に示す斜視図と同様の斜視図であるが、輸送容器が取り外されている状態を示し、第一の変形可能部分は、カウンター内でのあるべき状態で示されている図である。
【図２４】第一のキャビティへの入口が取り外し可能なシールで封止されている、代替的な液体容器の斜視図である。
【図２５】取り外し可能なシールが部分的に取り外されている、図24の液体容器の斜視図である。
【図２６】取り外し可能なシールが取り外された、図24及び25の液体容器の斜視図である。
【図２７】カウンターに配置され、取り外し可能なシールが取り外された、図24から26の液体容器の斜視図であり、ポンプ及び浸漬管が、入口に挿入される間際にある状態を示す図である。
【図２８】第一のキャビティへの入口が、突き刺し可能なシールで封止されている代替的な液体容器の、部分的に切り取られた斜視図であり、シールが浸漬管によって突き刺されている状態を示す図である。
【図２９】弾性変形可能な材料で作製されている、図2で示す液体容器と同様の、別の代替的な液体容器の斜視図である。
【図３０】図29の液体容器の斜視図であり、容器の第二の変形可能部分はカウンターに形成された孔を通り、第一の変形可能部分はカウンターの上にある液体容器を示す図である。
【図３１】図30の液体容器の断面図である。
【図３２】図29から31の液体容器の断面図であり、液体容器が孔に完全に挿入され、液体が第二の変形可能部分に挿入された状態を示す図である。
【図３３】第一の変形可能部分が第二の変形可能部分から着脱可能である、液体容器の別の代替的な実施形態の斜視図であり、第二の変形可能容器が巻かれて管状体になっている状態を示す図である。
【図３４】図33の液体容器の斜視図であり、液体が第二の変形可能液体容器内にあり、第一の変形可能液体容器が畳まれた状態を示す図である。
【図３５】第一の液体容器が、着脱可能なネック用継手を用いて第二の液体容器に取り付け可能である、図33及び34の液体容器の斜視図であるが、第一の変形可能液体容器が第二の変形可能液体容器から取り外されている状態を示す図である。
【図３６】図35の液体容器の斜視図であり、ポンプ及び浸漬管が第二の変形可能容器に配置される間際にある状態を示す図である。
【図３７】第一の液体容器が、ねじ式のアタッチメントを用いて第二の液体容器に取り付け可能である、図33及び34に示す液体容器と同様の液体容器の斜視図であるが、第一の変形可能液体容器が第二の変形可能液体容器から取り外されている状態を示す図である。
【図３８】図37の液体容器の斜視図であり、ポンプ及び浸漬管が第二の変形可能容器に配置される間際の状態を示す図である。
【発明を実施するための形態】
【００２９】
図1から11を参照して、カウンター装着型分注システムは、全体的に符号10で示されている。カウンター装着型分注システム10は、変形可能容器12と、ポンプ14とを含む。分注システム10は、カウンター16に、アクセスホール18を通して配置されるように適合されている。アクセスホール18は、ホールから上方に延出する取り付け台19を有することができる。変形可能容器12は、液体又は他の流動性物質、典型的には、ハンドクリーナー又は発泡性ハンドクリーナーに関連して使用するためのものである。
【００３０】
変形可能容器12は、第一のキャビティ22を規定する第一の変形可能部分20と、第二のキャビティ26を規定する第二の変形可能部分24とを含む。第二のキャビティ26は、第一のキャビティ22と、ネック部分30を介して流体連通する。第一のキャビティ22は、第一のキャビティ入口28を有する。第二の変形可能部分24は、内部に流動性物質がほぼ存在しないときに、変形してアクセスホール18を通って嵌るように構成されている。図2に示すように、第二の変形可能部分24は、巻かれて管状体にされてもよい。そこは、輸送前の製造工程中に巻かれて管状体にされてもよく、この管状体の構造は、アクセスホール18を通って第二の変形可能容器24を送り込むことを促進する。また、この管状体の構造は、第一のキャビティ22から第二のキャビティ26への流れを阻止する。この管状体が解かれたときに、液体は、第一のキャビティから第二のキャビティ内へ押しやられ得る。従って、この管状体の構造は、第一のキャビティから第二のキャビティへの流れを解除可能に阻止する手段として機能することができる。
【００３１】
同様に、第一の変形可能部分20は、内部に流動性物質がほぼ存在しないときに、変形してアクセスホール18を通って嵌るように構成されている。流動性物質が、第一の変形可能部分20から第二の変形可能部分24へ移動する際に、第二の変形可能部分24は、管状体の構造から解かれることになる。
【００３２】
選択的に、第一のキャビティ入口28は、封止可能な第一のキャビティ入口であり、ポンプ14で封止されている。ポンプ14は、標準型の任意のポンプであってもよい。本明細書で用いられるポンプの一例は、2012年4月27日に出願された米国特許出願第13/458,318号に示されている。ポンプ15の代替的な例が、図10から14に示されている。多種多様なポンプが変形可能容器12と共に使用可能であることを、当業者は理解するであろう。ポンプは、分注システム10がカウンター16に配置されたときに、第一のキャビティ22から第二のキャビティ26へ延出する浸漬管34を有する。選択的に、ポンプ14は、ディスペンサ32に取り付けられる、又はディスペンサ32により係合されるように適合されている。代替的なポンプ15もまた、ディスペンサ33に係合するように適合されることができる。ディスペンサは、カウンター16に取り付け可能であってもよい。
【００３３】
図15から23に示すように、選択的に、変形可能容器12は、取り外し可能な箱36内に収容されることができる。箱36は、容器を輸送するのに特に有用である。箱36は、内側の変形可能容器12へのアクセスを提供するために、箱から容易に取り外される取り外し可能部分38を有することができ、ポンプの連結に先だって封が取り外される。図21から23に示すように、選択的に、箱36は、折り線39を含むことができる。折り線39は、箱36を制御的に畳むことを促進するために使用される。図17において確認することができるように、箱36は、液体で満たされた第一の変形可能部分20と、巻かれて管状体になり、折り畳まれて第一の変形可能部分20に寄りかかっている第二の変形可能部分24とを含む、変形可能容器12を収容するように設計されている。図22において確認することができるように、第一の変形可能部分20は、第一のキャビティ入口28に取り付けられたポンプ15を有することができる。
【００３４】
ポンプを封着した状態で容器12を輸送することで、液体は衛生的な方法でエンドユーザへ輸送され、製造者からユーザへ輸送される間に液体が汚染される機会を最小限に抑えることを、当業者は理解するであろう。加えて、箱36は、輸送中の容器12の保護性を高めることができる。
【００３５】
図24及び27に示すように、選択的に、変形可能容器12は、取り外し可能なシール40を含むことができる。取り外し可能なシール40は、第一のキャビティ入口28に固着されるように設計されている。取り外し可能なシール40は、変形可能容器12がカウンター16に配置された後に、取り外されることができる。ポンプ14と浸漬管34とのアセンブリは、封止可能な第一のキャビティ入口に連結可能であり、それにより、第一の変形可能部分がアクセスホールに押入されていると、浸漬管は、第一の変形可能部分を通って第二の変形可能部分内に延出する。そして、ポンプ14が、アクセスホールに設置される。選択的に、変形可能容器12は、ポンプ14と浸漬管34とのアセンブリにより突き通されるように適合されたシール42を有することができ、それにより、図28で示すように、浸漬管は、シールを通って挿入可能である。
【００３６】
図29及び30に示すように、選択的に、取り外し可能なクリップ44が含まれてもよい。クリップ44は、ネック部分30に係合するように構成されており、クリップ44がネック部分30に係合されると、第一のキャビティから第二のキャビティへの流れを阻止するように構成されている。従って、クリップ44は、第一のキャビティから第二のキャビティへの流れを解除可能に阻止する手段として機能する。カウンター装着型分注システム10は、カウンター16の下にケージ46を含むことも可能であり、このケージ46は、変形可能容器12が一旦カウンターのアクセスホール18に配置されると、変形可能容器12を収容する。ケージ46は、カウンターの下側に取り付けられた上方部分48と、上方部分48に着脱自在である下方部分50とを含むことができる。
【００３７】
図33から38を参照して、第一の部分60が第二の変形可能部分62から着脱可能になり得るように、容器12は構成されることができる。この構成において、第一の部分60は、第一のネック部分64を含み、第二の変形可能部分は、第二のネック部分66を含む。第二のネック部分66は、そこから外側へ延出するカラー68を有し、カラー68は、カウンター16のアクセスホール18上に載るように適合されている。第一のネック部分64及び第二のネック部分66は、共に係脱自在に連結可能である。例示にすぎないが、図35及び36で示すように、第一のネック部分64は、着脱可能なネック用継手を用いて第二のネック部分66に連結され、そのネック用継手は、有孔のネック用継手又は圧入式のネック用継手である。図37及び38に示すように、代替的に、螺合式のネック用継手70を有することもできる。
【００３８】
図33から38に示す実施形態において、第一の部分60は、カウンター16のアクセスホール18を通して押されないので、変形可能部分である必要はないことに留意されたい。
【００３９】
容器12の実施形態は、様々な異なる材料から製造されることができる。容器12は、変形可能な材料から作製されることができる。例示にすぎないが、第一の及び第二の変形可能部分は、BOPP(二軸延伸ポリプロピレン)、BON(二軸延伸ナイロン)、CA(アセチルセルロース)、CTFE(クロロトリフルオロエチレン)、EAA(エチレンアクリル酸)、EEA(エチレンエチルアクリレート)、EMA(エチレンメチルアクリレート)、EVA(エチレン酢酸ビニル)、EVOH(エチレンビニルアルコール)、HIPS(耐衝撃性ポリスチレン)、LDPE(低密度ポリエチレン)、LLDPE(直鎖状低密度ポリエチレン)、mPE(メタロセンポリエチレン)、OPP(配向ポリプロピレン)、PA(ポリアミド)、PAN(ポリアクリロニトリル)、PB(ポリブチレン)、PE(ポリエチレン)、PET(ポリ(エチレンテレフタレート))、PETG(ポリ(エチレンテレフタレート)グリコール)、PLA(ポリ(乳酸))、PP(ポリプロピレン)、PS(ポリスチレン)、PTFE(ポリ四フッ化エチレン)、PUR(ポリウレタン)、PVC(ポリ(塩化ビニル))、及びPVDC(ポリ(塩化ビニリデン))から製造されることができる。
【００４０】
図29から32に示すように、代替的に、容器は、弾性変形可能な材料から作製されることができる。容器12が、弾性変形可能な材料から作製される場合、第一の変形可能部分、ネック、及び第二の変形可能部分は、一つの長い風船のような構造に見え得るが、容器使用時に、第一の変形可能部分52及び第二の変形可能部分54が規定される。ネック56は、クリップ44により規定される。例示にすぎないが、第一の及び第二の変形可能部分は、ラテックス、シリコーンゴム、ポリイソプレン、及びマイラから製造されることができる。容器12の種々の実施形態は、使用時に、カウンター16に取り付けられているポンプと共に使用するために、液体容器をカウンター下の位置に設ける、又は設置することを促進するように設計されている。使用時において、容器12の第二の変形可能部分24が、カウンター16のアクセスホール18を通って挿入される、又は送り込まれる。第二の変形可能部分24が穴に完全に挿入されると、クリップ44が、もし存在するのであれば、取り外される。その後、第一の変形可能部分20に圧力がかけられ、第一のキャビティ内の液体が付勢され、第一のキャビティから第二のキャビティ内部へ流れ始める。図10及び11に示すように、圧力は、手で付与される、又は、箱36を用いて達成され得る制御的な畳みかたにより付与されてもよい。液体が第二のキャビティに移送されると、ポンプがアクセスホール18に配置される。図1から23及び29から32に示すように、いくつかの実施形態において、ポンプは、輸送前に、第一の変形可能部分に取り付けられている。代替的に、容器が取り外し可能なシール40を含む場合、図24から27に示すように、シールが取り外され、ポンプと浸漬管とのアセンブリがアクセスホール内に配置される。別の代替として、シールが突き刺し可能なシール42である場合、浸漬管がシール42を突き通し、ポンプと浸漬管とのアセンブリがアクセスホール18内に配置される。更なる代替が図33から38に示されており、第二の変形可能容器部分62は、アクセスホール18に載るカラー68を含み、第一の変形可能容器部分60は、第二の変形可能部分62から着脱可能である。図35及び36に示すように、容器12は、着脱可能なネック用継手66を含むことができ、そのネック用継手は、有孔のネック用継手又は圧入式のネック用継手である。図37及び38に示すように、代替的に、ネック用継手は、ねじ式のネック用継手70であってもよい。その後、ポンプと浸漬管とのアセンブリがアクセスホール18に配置される。選択的に、次いで、ディスペンサ32又は33が、ポンプ14又は15上に配置される、又は取り付けられてもよく、ディスペンサはポンプと係合するように適合されており、ディスペンサを作動させると、ポンプ14又は15と係合し、液体が、浸漬管34上方に引き上げられてポンプ14、15内へ入り、ディスペンサ32又は33を通って分注される。ディスペンサは、手動式ディスペンサであってもよく、又は、ディスペンサは、ディスペンサを自動的に作動させるための人感センサを含むことができることを、当業者は理解するであろう。
【００４１】
本開示の様々な実施形態及び態様が、後述の詳細を参照して説明される。以下の説明及び図面は本開示の例示であり、本開示を限定するものとして解釈されるものではない。本開示の様々な実施形態を完全に理解するために、多くの特定の詳細が記載される。しかしながら、ある例において、周知の又は従来型の詳細は、本開示の実施形態の議論を簡潔に提供する意図により、記載されてない。
【００４２】
本明細書で使用される「備える」及び「備えている」という用語は、包括的で、開放的であり、排他的でない語として解釈されよう。特に、明細書及び特許請求の範囲において使用される場合、「備える」及び「備えている」という用語、並びにそれらの変形は、特定の特徴、ステップ、又は構成要素が含まれていることを意味する。これらの用語は、他の特徴、ステップ、又は構成要素の存在を排除していると解釈されるものではない。
【００４３】
本明細書で使用される、「例示的な」という用語は、「一例、用例、説明として機能する」ことを意味しており、本明細書で開示される他の構成よりも好ましい、又は有利性があるものを意味していると解釈されるものではない。
【００４４】
本明細書で使用される、「約」及び「およそ」という用語は、特性、パラメータ、及び寸法の変化など、値の範囲の上限と下限内に存在し得る変化を包括していることを意味する。非限定的な一例において、「約」及び「およそ」という用語は、プラスマイナス10パーセント以内であることを意味する。
【００４５】
本明細書で使用される、「ほぼ」という用語は、作用、特色、特性、状態、構造、品目、又は結果の程度が完全であるか、完全に近い範囲又は程度であることを意味する。例えば、「ほぼ」取り囲まれた物体とは、物体が完全に取り囲まれているか、完全に近い状態で取り囲まれているかのいずれかの状態であること意味する。絶対的な完全性からの逸脱が許容される正確な範囲は、場合により、特定の状況に依存し得る。しかしながら、概して、完全に近いということについて言えば、絶対的な、全体的な完成が成し遂げられた場合と同様の、総体的な結果が得られるということであろう。作用、特色、特性、状態、構造、品目、又は結果の完全な欠如、又は完全に近い欠如を言及する否定的な意味合いで使用される場合も、「ほぼ」という用語の使用を等しく適用することができる。
【００４６】
別段の定義がない限り、本明細書で使用される全ての技術用語及び科学用語は、当業者に広く理解されているものと同じ意味を有することを意図している。
【図１】
2016507438.tif 000003
【図２】
2016507438.tif 000004
【図３】
2016507438.tif 000005
【図４】
2016507438.tif 000006
【図５】
2016507438.tif 000007
【図６】
2016507438.tif 000008
【図７】
2016507438.tif 000009
【図８】
2016507438.tif 000010
【図９】
2016507438.tif 000011
【図１０】
2016507438.tif 000012
【図１１】
2016507438.tif 000013
【図１２】
2016507438.tif 000014
【図１３】
2016507438.tif 000015
【図１４】
2016507438.tif 000016
【図１５】
2016507438.tif 000017
【図１６】
2016507438.tif 000018
【図１７】
2016507438.tif 000019
【図１８】
2016507438.tif 000020
【図１９】
2016507438.tif 000021
【図２０】
2016507438.tif 000022
【図２１】
2016507438.tif 000023
【図２２】
2016507438.tif 000024
【図２３】
2016507438.tif 000025
【図２４】
2016507438.tif 000026
【図２５】
2016507438.tif 000027
【図２６】
2016507438.tif 000028
【図２７】
2016507438.tif 000029
【図２８】
2016507438.tif 000030
【図２９】
2016507438.tif 000031
【図３０】
2016507438.tif 000032
【図３１】
2016507438.tif 000033
【図３２】
2016507438.tif 000034
【図３３】
2016507438.tif 000035
【図３４】
2016507438.tif 000036
【図３５】
2016507438.tif 000037
【図３６】
2016507438.tif 000038
【図３７】
2016507438.tif 000039
【図３８】
2016507438.tif 000040
【国際調査報告】
2016507438.tif 000041
2016507438.tif 000042